(57)【要約】【課題】  塀や壁の表面に釘、ネジ、ボルトにより穴や傷をつけることなく、どのような作業者であっても容易にすばやく塀や壁に取付けることが出来るサイディング材を提供する。【解決手段】  塀あるいは壁に架けることができる懸架体と、この懸架体に設けられた取付具と、この取付具を介して前記懸架体に取付けられた、あるいは前記懸架体に直接取付けられたサイディング材本体とでサディング材を構成している。【選択図】      図１
2005120809.tif 000002
【特許請求の範囲】
【請求項１】
塀あるいは壁に架けることができる懸架体と、この懸架体に設けられた取付具と、この取付具を介して前記懸架体に取付けられた、あるいは前記懸架体に直接取付けられたサイディング材本体とで構成されたサイディング材。
【請求項２】
塀あるいは壁に架けられるように、当該塀あるいは壁の断面形状にあわせて形成された懸架部と、支持部とを有する複数の懸架体と、この懸架体所定位置に設けられた取付具と、この取付具を介してあるいは直接に前記懸架体に取付けられた、サイディング材本体とで構成されたサイディング材。
【請求項３】
塀あるいは壁に架けられるように、当該塀あるいは壁上部の断面形状にあわせて形成された懸架部と、この懸架部の一端あるいは両端に設けられ、塀あるいは壁の高さに応じた長さに形成され、塀あるいは壁表裏面に支持する支持部とを有する複数の懸架体と、この懸架体支持部に所定の間隔をもって設けられた取付具と、この取付具を介してあるいは直接に前記懸架体に取付けられたサイディング材本体とで構成されたサイディング材。
【請求項４】
塀あるいは壁に架けられるように、当該塀あるいは壁上部の断面形状にあわせてコ字状に形成された懸架部と、この懸架部の一端に設けられ、塀あるいは壁の高さに応じた長さに形成され、塀あるいは壁表面に支持する支持部とを有する複数の懸架体と、この懸架体支持部に所定の間隔をもって設けられた取付具と、前記懸架部上に冠する笠木と、前記取付具を介してあるいは直接に前記懸架体に取付けられたサイディング材本体とで構成されたサイディング材。
【発明の詳細な説明】
【技術分野】
【０００１】  本発明はブロック塀や万年塀などの既存の塀や建物の外壁表面に取付けるサイディング材に関する。
【背景技術】
【０００２】  従来、既存の塀や建物の外壁にサイディング材を施工する場合に、釘、ビスなどを用いて塀や壁に直接サイディング材を取付けたり、あるいは、塀や壁の表面に所定間隔で取付ブロックを釘、ビスなどを用いて固定し、その取付ブロックにサイディング材を取付けることが考えられている。【０００３】  しかしながら、既存の塀や建物の外壁にサイディング材を直接あるいは取付ブロック等の取付具を介して取付固定するには、釘、ビスなどを用いて塀や壁の表面に突き刺すことが必要となってくるため、どうしても塀や壁の表面に穴や傷をつけざるをえず、サイディング材を外すことになった場合には既存の塀や建物の外壁は穴や傷だらけとなるため、そのままの状態では使用できず塗装や補修が必要となることに加え、これらの強度も弱くなるという欠点があった。
また、釘、ビスなどを突き刺すときにサイディング材や取付ブロックの位置合わせが１箇所でも狂うと、全体のバランスが崩れてしまうので、一定の施工能力を持った作業者であっても施工に時間がかかり、きれいに仕上げることは困難であった。
【特許文献１】特開２０００−２４０２５６号公報
【発明の開示】
【発明が解決しようとする課題】
【０００４】  本発明は、上記のような従来の欠点に鑑み、塀や壁の表面に釘、ネジ、ボルトにより穴や傷をつけることなく、どのような作業者であっても容易にすばやく塀や壁に取付けることが出来るサイディング材を提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術範囲を限定するものではない
【課題を解决するための手段】
【０００６】  上記目的を達成するために、本発明は、塀あるいは壁に架けることができる懸架体と、この懸架体に設けられた取付具と、この取付具を介して前記懸架体に取付けられた、あるいは前記懸架体に直接取付けられたサイディング材本体とでサイディング材を構成している。
【発明の効果】
【０００７】  以上の説明から明らかなように、本発明にあっては次に列挙する効果が得られる。
（１）塀あるいは壁に架けることができる懸架体と、この懸架体に設けられた取付具と、この取付具を介して前記懸架体に取付けられた、あるいは前記懸架体に直接取付けられたサイディング材本体とで構成しているので、釘、ビスなどを用いて塀や壁に直接あるいは取付ブロック等の取付具を介して、サイディング材を取付固定する必要がなく、既存の塀や建物の外壁の表面に穴や傷をつけることがない。
【０００８】（２）前記（１）によって、既存の塀や建物の外壁上部に懸架体を架けるだけであるので、施工能力に関係なくどのような作業者であっても容易に素早く、しかもバランスよく的確にサイディング材本体を取付けることが出来る。
【０００９】（３）前記（１）によって、サイディング材本体を取付けた状態においては、その重さによって塀や壁などに懸架体がしっかり密接するので、強風などの環境の急な変化にも耐えうる。
【００１０】（４）前記（１）によって、塀や壁とサイディング材本体との間に、ある程度の隙間が生じるため、通気性、防水性に優れている。
【００１１】（５）前記（１）によって、サイディング材本体を取り外し、懸架体を塀や壁より外すだけで、取付ける前の状態にもどすことが容易にできる。
【００１２】（６）請求項２、３、４も前記（１）〜（５）と同様な効果が得られる。
【発明の実施するための最良の形態】
【００１３】  以下、図面に示す発明を実施するための最良の形態により本発明を詳細に説明する。
【００１４】  図１ないし図３の本発明の第１の実施するための最良の形態において、１は、サイディング材で、このサイディング材１は懸架体２と、サイディング材本体３と、懸架体２とサイディング材本体３とを取付ける金具４、４ａとで構成されている。
【００１５】  上記懸架体２は、図２に示すとおり、塀１２の上部の断面形状にあわせて、コ字状に形成された懸架部５と、この懸架部５の一端に設けられ塀１２の高さに合わせた長さで形成された支持部６とで構成されている。
【００１６】  図１に示すとおり、前記金具４、４ａは、ビス７、７で懸架体２支持部６の下部及び中央部にそれぞれ固定される。
【００１７】  前記サイディング材本体３は、金具４、４ａに当該サイディング材本体３下部及び上部がそれぞれ嵌合固定される。さらに、図２に示すとおり、サイディング材本体３の上部にはサイディング材本体３ａが取付けられる。当該サイディング材本体３ａの下部は金具４ａに嵌合され、上部はネジ８で懸架体２懸架部５に直接固定されている。
【００１８】  ９は笠木で、この笠木９は、ボルト１０で笠木取付具１１を介し、懸架体２懸架部５の上部に固定されている。
【００１９】  上記サイディング材１を使用する場合は、図１乃至図３に示すとおり、一定の間隔を設けて塀１２上部より複数の懸架体２を架けていく。このとき懸架体２は塀１２に釘、ビス、ボルト等でねじ込み固定することはない。
【００２０】  懸架体２支持部６の下部に金具４をビス７でねじ込み固定し、支持部６中央部に金具４ａをビス７でねじ込み固定する。このとき、ビス７、７は塀１２表面を突き刺すことはない。
【００２１】  金具４にサイディング材本体３下部を、金具４ａにサイディング材本体３上部をそれぞれ嵌合する。
【００２２】  図２に示すとおり、金具４ａにサイディング材本体３ａ下部を嵌合し、当該サイディング材本体３ａ上部は懸架体２懸架部５に直接ネジ８で取付固定する。懸架体２懸架部５にネジ８をねじ込むときに塀１２表面にネジ８先端が突き刺すことはない。
【００２３】  サイディング材本体３、３ａが取付けられると、塀１２上部に架けられた懸架体２懸架部５が剥き出しになるため、これらを覆うように笠木９が取付けられる。
【発明を実施するための異なる形態】
【００２４】  次に、図４乃至図６に示す本発明を実施するための異なる形態につき説明する。なお、これらの本発明を実施するための異なる形態の説明にあたって、前記本発明を実施するための最良の第１の形態と同一構成部分には同一符号を付して重複する説明を省略する。
【００２５】  図４に示す本発明を実施するための第２の形態において、前記本発明を実施するための最良の第１の形態と主に異なる点は、支持部６が一端に設けられた懸架部５ａの他端に支持部６ａを設けて懸架体２ａを形成した点で、このように形成したサイディング材１Ａにしても、前記本発明を実施するための最良の第１の形態と同様な効果が得られる。
【００２６】  図５に示す本発明を実施するための第３の形態において、前記本発明を実施するための最良の第１の形態と主に異なる点は、断面形状が逆Ｌ字状に形成された懸架部５ｂを設けて懸架体２ｂを形成した点で、このように形成したサイディング材１Ｂにしても、前記本発明を実施するための最良の第１の形態と同様な効果が得られ、塀や壁の上部断面形状がコ字状でなくても取付が可能となる。
【００２７】  図６に示す本発明を実施するための第４の形態において、前記本発明を実施するための最良の第１の形態と主に異なる点は、断面形状が弓状に形成された懸架部５ｃを設けて懸架体２ｃを形成した点で、このように形成したサイディング材１Ｃにしても、前記本発明を実施するための最良の第１の形態と同様な効果が得られる。
【００２８】
【産業上の利用可能性】
【００２９】  サイディング材を取付施工する産業で利用される。
【図面の簡単な説明】
【００３０】
【図１】  本発明を実施するための最良の第１の形態の説明図。
【図２】  本発明を実施するための最良の第１の形態の使用状態の断面図。
【図３】  本発明を実施するための最良の第１の形態の使用状態の一部破断説明図。
【図４】  本発明を実施するための第２の形態の使用状態の断面図。
【図５】  本発明を実施するための第３の形態の使用状態の要部拡大断面図。
【図６】  本発明を実施するための第４の形態の使用状態の要部拡大断面図。
【符号の説明】
【００３１】１、１Ａ、１Ｂ、１Ｃ：サイディング材、
２、２ａ、２ｂ、２ｃ：懸架体、
３、３ａ：サイディング材本体、
４、４ａ：金具、
５、５ａ、５ｂ、５ｃ：懸架部、
６、６ａ：支持部、
７：ビス、
８：ネジ、
９：笠木、
１０：ボルト、
１１：笠木取付具、
１２：塀。
【図１】
2005120809.tif 000003
【図２】
2005120809.tif 000004
【図３】
2005120809.tif 000005
【図４】
2005120809.tif 000006
【図５】
2005120809.tif 000007
【図６】
2005120809.tif 000008